(57)【要約】      （修正有）【課題】家具の内部の荷重支持能力を強化させ、且つ支持部材を有する家具を提供する。【解決手段】外ケース２０と支持部材３０を含み、外ケースは上ケース２２と下ケース２４で構成され、上ケースと下ケースの間に収納空間２６を設置させ、支持部材は収納空間中に設けられ、支持部材の頂端及び底端は上ケースと下ケースにそれぞれ当着され、これにより、支持部材は上ケース頂部の重量を支持させ、家具の荷重支持能力を強化させて、上ケースと下ケースが積載される重量の過負荷のための変形或いは破裂を起こし難くさせる。【選択図】図３
0003173728.tif 000002
【実用新案登録請求の範囲】
【請求項１】
支持部材を有する家具であって、
上ケースと下ケースからなり、前記上ケースと前記下ケースの間に収納空間を設置させる外ケースと、
前記収納空間中に設けられ、頂端及び底端は前記上ケースと前記下ケースにそれぞれ当着される支持部材を含むことを特徴とする支持部材を有する家具。
【請求項２】
前記支持部材の側端は前記外ケースに当着されることを特徴とする、請求項１に記載の支持部材を有する家具。
【請求項３】
前記支持部材は交差する少なくとも二つの仕切り板を有することを特徴とする、請求項１に記載の支持部材を有する家具。
【請求項４】
一つの前記仕切り板は開口部が上を向く凹部を有し、他の前記仕切り板は開口部が下を向く凹部を有し、二つの前記仕切り板は凹部により相互に嵌合し合うことを特徴とする、請求項３に記載の支持部材を有する家具。
【請求項５】
前記支持部材の横断面は十字形、二つの十字形、井の字形或いは放射状を呈することを特徴とする、請求項３に記載の支持部材を有する家具。
【請求項６】
前記支持部材は直立筒状部を有することを特徴とする、請求項１に記載の支持部材を有する家具。
【請求項７】
前記支持部材の直立筒状部の横断面は円形、星形或いは不規則な形状を呈することを特徴とする、請求項６に記載の支持部材を有する家具。
【請求項８】
前記支持部材は前記直立筒状部の側方に延伸される補強部を更に有することを特徴とする、請求項６に記載の支持部材を有する家具。
【請求項９】
前記支持部材の一つの側端は前記外ケースに嵌着されることを特徴とする、請求項１に記載の支持部材を有する家具。
【考案の詳細な説明】
【技術分野】
【０００１】
本考案は、頂部に荷重支持能力を有する家具（机や椅子等）に関し、より詳しくは、家具の内部の荷重支持能力を強化させ、且つ支持部材を有する家具に関する。
【背景技術】
【０００２】
市場に出回っている収納機能を有する家具は、主にプラスチック材料で製造され厚さも相当に薄い上ケース及び下ケースで主に構成され、内部には物品を収納させる収納空間を形成させ、外形は椅子或いは机の形状をしており、ユーザーが家具の頂部に座れる、或いは家具上に物品を置けるようになっている。
【考案の概要】
【考案が解決しようとする課題】
【０００３】
前述の家具は家庭に於ける収納空間を増加させ、重量も小さい上に持ち運びも便利である等の長所を有するが、しかしながら、前述した従来の技術では、上ケースと下ケースの材料は構造強度の低いプラスチック薄板であり、周縁部がフレームに相互に当接されるのみで、家具頂部の荷重支持能力が制限され、積載される重量の超過による変形或いは破裂を起こし易かった。
【０００４】
本考案は、このような従来の問題に鑑みてなされたものである。上記課題解決のため、本考案は、内部に物品を収納させる収納空間を有し、また収納空間内には家具の荷重支持能力を強化させるための支持部材を設けるものを提供することを主目的とする。
【課題を解決するための手段】
【０００５】
上述した課題を解決し、目的を達成するために、本考案に係る支持部材を有する家具は外ケースと支持部材を含み、外ケースは上ケースと下ケースで構成され、上ケースと下ケースの間には収納空間を設置させ、支持部材は収納空間中に設けられ、支持部材の頂端及び底端は上ケースと下ケースにそれぞれ当着されることを特徴とする。
【考案の効果】
【０００６】
本考案によれば、支持部材は上ケース頂部の重量の支持に用いられ、家具の荷重支持能力を強化させ、上ケース及び下ケースは積載される重量の過負荷による変形或いは破裂を起こし難くなる。
【図面の簡単な説明】
【０００７】
【図１】本考案に係る好ましい第１実施形態の支持部材を有する家具の立体概略図である。
【図２】本考案に係る好ましい第１実施形態の支持部材を有する家具の横断面図である。
【図３】本考案に係る好ましい第１実施形態の支持部材を有する家具の縦断面図である。
【図４】本考案に係る好ましい第１実施形態の支持部材を有する家具の支持部材の立体分解図である。
【図５】本考案に係る好ましい第１実施形態の支持部材を有する家具の支持部材の立体組み立て図である。
【図６】本考案に係る好ましい第２実施形態の支持部材を有する家具の横断面図である。
【図７】本考案に係る好ましい第３実施形態の支持部材を有する家具の横断面図である。
【図８】本考案に係る好ましい第４実施形態の支持部材を有する家具の横断面図である。
【図９】本考案に係る好ましい第５実施形態の支持部材を有する家具の支持部材の立体概略図である。
【図１０】本考案に係る好ましい第５実施形態の支持部材を有する家具の横断面図である。
【図１１】本考案に係る好ましい第６実施形態の支持部材を有する家具の横断面図である。
【図１２】本考案に係る好ましい第７実施形態の支持部材を有する家具の横断面図である。
【図１３】本考案に係る好ましい第８実施形態の支持部材を有する家具の横断面図である。
【図１４】本考案に係る好ましい第９実施形態の支持部材を有する家具の横断面図である。
【考案を実施するための形態】
【０００８】
以下に図面を参照して本考案を実施するための形態について、詳細に説明する。なお、本考案は、以下に説明する実施形態に限定されるものではない。
【実施例】
【０００９】
図１は本考案に係る好ましい第１実施形態の支持部材を有する家具の立体概略図であり、
図２本考案に係る好ましい第１実施形態の支持部材を有する家具の横断面図であり、
図３本考案に係る好ましい第１実施形態の支持部材を有する家具の縦断面図であり、
図４本考案に係る好ましい第１実施形態の支持部材を有する家具の支持部材の立体分解図であり、
図５本考案に係る好ましい第１実施形態の支持部材を有する家具の支持部材の立体組み立て図であり、
図６本考案に係る好ましい第２実施形態の支持部材を有する家具の横断面図であり、
図７本考案に係る好ましい第３実施形態の支持部材を有する家具の横断面図であり、
図８本考案に係る好ましい第４実施形態の支持部材を有する家具の横断面図であり、
図９本考案に係る好ましい第５実施形態の支持部材を有する家具の支持部材の立体概略図であり、
図１０本考案に係る好ましい第５実施形態の支持部材を有する家具の横断面図であり、
図１１本考案に係る好ましい第６実施形態の支持部材を有する家具の横断面図であり、
図１２本考案に係る好ましい第７実施形態の支持部材を有する家具の横断面図であり、
図１３本考案に係る好ましい第８実施形態の支持部材を有する家具の横断面図であり、
図１４本考案に係る好ましい第９実施形態の支持部材を有する家具の横断面図である。
【００１０】
本考案の実施形態に係る支持部材を有する家具の本考案の好ましい第１実施形態の構成を図１から図５に示す。外ケース２０、及び支持部材３０を含む。
【００１１】
外ケース２０は上ケース２２と下ケース２４からなり、上ケース２２及び下ケース２４はケース２２２とケース２４２、及びケース２２２とケース２４２の周縁部に設けられるフレーム２２４とフレーム２４４をそれぞれ有する。上ケース２２と下ケース２４が相互に蓋をし合う場合、二つのフレーム２２４とフレーム２４４は相互に当接され、上ケース２２と下ケース２４の間には収納空間２６を設置させ、また外ケース２０の外形は一人用椅子であり、ユーザーは上ケース２２の頂部に座れる。
【００１２】
支持部材３０は交差する二つの仕切り板３２を有し、その内の一つの仕切り板３２は開口部が上を向く凹部３２２を有し、他の仕切り板３２は開口部が下を向く凹部３２２を有し、二つの仕切り板３２は凹部３２２により相互に嵌合される。または支持部材３０は一体成型される。支持部材３０は収納空間２６中に設けられ、支持部材３０の頂端３３と底端３４は上ケース２２と下ケース２４のケース２２２及びケース２４２にそれぞれ当着され、支持部材３０の四つの側端３５は下ケース２４のケース２４２及びそれらのフレーム２２４とフレーム２４４に当着される。
【００１３】
前述の特徴により、支持部材３０は収納空間２６中に固定され、収納空間２６を仕切って四つの収容空間２６２を形成させ、ユーザーは分類して物品を収納させ、物品は整頓されて収納される。更に重要なのは、支持部材３０は上ケース２２頂部の重量の支持に用いられ、家具１０の荷重支持能力を強化させ、上ケース２２と下ケース２４が積載される重量の過負荷による変形或いは破裂を起こし難くなる点である。
【００１４】
本考案の家具１０の支持部材３０は図２の横断面の十字形に制限されない。図６の本考案に係る好ましい第２実施形態、図７の本考案に係る好ましい第３実施形態、及び図８の本考案に係る好ましい第４実施形態によると、支持部材３０の横断面は二つの十字形、井の字形或いは放射状でもよく、支持部材３０は二個以上の相互に嵌合される或いは一体で連結される仕切り板３２、及び四個以上の外ケース２０に当着される側端３５を有し、収納空間２６を仕切らせて更に多くの収容空間２６２を形成させてもよい。
【００１５】
前述の各実施形態中、支持部材３０の側端３５は必ずしも外ケース２０に当着させる必要はなく、二つの対向する側端３５を外ケース２０に当着させるのみで支持部材３０に対して相当の位置限定作用を生む。事実上、支持部材３０の側端３５は外ケース２０に当着させずとも、上ケース２２と下ケース２４が相互に蓋をし合う場合、支持部材３０の頂端３４と底端３６を上ケース２２と下ケース２４にそれぞれ当着させるのみでよい。
【００１６】
図９と図１０の本考案に係る好ましい第５実施形態では、家具１０の支持部材３０は直立筒状部３６を有し、直立筒状部３６の外側は外ケース２０には全く当着されず、或いは直立筒状部３６の外径をそれらのフレーム２２４とフレーム２４４に当着されるまで増大させる。図１１の本考案に係る好ましい第６実施形態では、家具１０の支持部材３０は直立筒状部３６を有する以外、直立筒状部３６側方から外ケース２０へ向かい延伸される四つの補強部３８を更に有し、このため外ケース２０に当着される四つの側端３５を有し、当然ながら、支持部材３０の補強部３８の数量は四個に制限されない。
【００１７】
前述の支持部材３０の直立筒状部３６は図９乃至図１１の横断面が円形になるものに制限されない。図１２の本考案に係る好ましい第７実施形態、及び図１３の本考案に係る好ましい第８実施形態では、支持部材３０の直立筒状部３６の横断面は星形或いは不規則な形状を呈する。
【００１８】
図１４の本考案に係る好ましい第９実施形態では、支持部材３０は複数の交差しない仕切り板３２を有し、或いは単一の仕切り板３２を有し、また、外ケース２０は複数の嵌着槽２８を有し、各仕切り板３２の側端３５をその中に嵌着させる。同様に、前述の各実施形態中、家具１０の支持部材３０の側端３５も外ケース２０のケース或いはフレームに嵌着される。
【００１９】
ちなみに、本考案の仕切り板を有する家具１０では、外ケース２０の外形は一人用椅子の形状に制限されず、二人用椅子、多人数用椅子、机及び茶卓等の荷重支持能力を有する家具である。また、上ケース２２と下ケース２４もフレーム２２４とフレーム２４４を有さず、ケース２２２とケース２４２に当接させ、支持部材３０の側端３５はケース２２２とケース２４２に当着或いは嵌着される。
【００２０】
以上、本考案はこのような実施形態に限定されるものではなく、考案の趣旨を逸脱しない範囲において、種々の形態で実施することができる。
【符号の説明】
【００２１】
１０    支持部材を有する家具
２０    外ケース
２２    上ケース
２２２  ケース
２２４  フレーム
２４    下ケース
２４２  ケース
２４４  フレーム
２６    収納空間
２６２  収容空間
２８    嵌着槽
３０    支持部材
３２    仕切り板
３２２  凹部
３３    頂端
３４    底端
３５    側端
３６    直立筒状部
３８    補強部
【図１】
0003173728.tif 000003
【図２】
0003173728.tif 000004
【図３】
0003173728.tif 000005
【図４】
0003173728.tif 000006
【図５】
0003173728.tif 000007
【図６】
0003173728.tif 000008
【図７】
0003173728.tif 000009
【図８】
0003173728.tif 000010
【図９】
0003173728.tif 000011
【図１０】
0003173728.tif 000012
【図１１】
0003173728.tif 000013
【図１２】
0003173728.tif 000014
【図１３】
0003173728.tif 000015
【図１４】
0003173728.tif 000016